(57)【要約】【課題】映像の視聴に配慮しつつ、容易に所望のチャンネルを選局可能な放送受信装置を提供すること【解決手段】チャンネルの切り替え要求に基づいてチャンネルの切り替えを実行する切替実行部と、前記切替実行部によって切り替えられたチャンネルから１以上のチャンネルを登録する登録部と、前記登録部に登録されたチャンネルで放送されるコンテンツのコンテンツ情報を実行選択実行可能に表示するＯＳＤ信号を生成するＯＳＤ生成部と、選局されているチャンネルに係るコンテンツの映像信号に前記ＯＳＤ生成部から受け取るＯＳＤ信号を重畳した映像信号を出力する映像処理部と、を備え、選択実行可能に表示されたコンテンツ情報が実行された場合に実行されたコンテンツ情報に係るコンテンツを放送するチャンネルへの切り替えが実行されるものであって、コンテンツ情報が実行されることによる切り替え要求が所定時間行われない場合に、前記ＯＳＤ生成部から前記映像処理部に対してＯＳＤ信号が出力されないことを特徴としている【選択図】図１
2015023335.tif 000002
【特許請求の範囲】
【請求項１】
チャンネルの切り替え要求に基づいてチャンネルの切り替えを実行する切替実行部と、
前記切替実行部によって切り替えられたチャンネルから１以上のチャンネルを登録する登録部と、
前記登録部に登録されたチャンネルで放送されるコンテンツのコンテンツ情報を実行選択実行可能に表示するＯＳＤ信号を生成するＯＳＤ生成部と、
選局されているチャンネルに係るコンテンツの映像信号に前記ＯＳＤ生成部から受け取るＯＳＤ信号を重畳した映像信号を出力する映像処理部と、
を備え、
選択実行可能に表示されたコンテンツ情報が実行された場合に実行されたコンテンツ情報に係るコンテンツを放送するチャンネルへの切り替えが実行されるものであって、コンテンツ情報が実行されることによる切り替え要求が所定時間行われない場合に、前記ＯＳＤ生成部から前記映像処理部に対してＯＳＤ信号が出力されないことを特徴とする放送受信装置。
【請求項２】
前記ＯＳＤ生成部は前記登録部によって登録されたチャンネルのうち所定数のチャンネルで放送されるコンテンツのコンテンツ情報を視認可能に表示したＯＳＤ信号を生成する請求項１に記載の放送受信装置。
【請求項３】
前記ＯＳＤ生成部は立体的なグラフィックスに前記所定数のチャンネルで放送されるコンテンツのコンテンツ情報を視認可能に表示したＯＳＤ信号を生成する請求項２に記載の放送受信装置
【請求項４】
前記ＯＳＤ生成部は前記登録部によって登録されたチャンネルで放送されるコンテンツのコンテンツ情報として少なくともコンテンツに係る静止画又は動画を選択実行可能に表示するＯＳＤ信号を生成する請求項１〜請求項３のいずれか１項に記載の放送受信装置。
【請求項５】
前記映像処理部はチャンネルの切り替え中に切替画像信号に前記ＯＳＤ生成部から受け取るＯＳＤ信号を重畳した映像信号を出力する請求項１〜請求項４のいずれか１項に記載の放送受信装置。
【請求項６】
前記登録部はコマーシャル放送中に選局されたチャンネルを登録しない請求項１〜請求項５のいずれか１項に記載の放送受信装置。
【請求項７】
前記登録部は視聴制限が設定されたコンテンツの放送中に選局されたチャンネルを登録しない請求項１〜請求項６のいずれか１項に記載の放送受信装置。
【請求項８】
前記切替実行部は要求に応じて自動的にチャンネルの連続切り替えを実行する請求項１〜請求項７のいずれか１項に記載の放送受信装置。
【発明の詳細な説明】
【技術分野】
【０００１】
本発明は、放送受信装置に関する。
【背景技術】
【０００２】
従来より、地上デジタル放送、ＢＳ（Ｂｒｏａｄｃａｓｔ  Ｓａｔｅｌｌｉｔｅ）放送、ＣＳ（Ｃｏｍｍｕｎｉｃａｔｉｏｎ  Ｓａｔｅｌｌｉｔｅ）放送等の放送信号を受信可能な放送受信装置が普及している。ユーザはこれら放送波の中から一の放送波を選択してチャンネルを切り替えることで所望の番組を視聴することが可能である。
【０００３】
ユーザは現在放送されている番組の中から視聴を望む番組を探す際に、チャンネルを頻繁に切り替える操作（いわゆるザッピング）を行うことがある。そしてユーザはザッピングにより番組内容を確認した番組の内、最も自身の嗜好に適合した番組を視聴することが多い。
【０００４】
ところで近年はテレビ放送のデジタル化に伴いチャンネル数が増加している。従ってユーザが相当数のチャンネル切替操作を行った場合には自身の嗜好に適合した番組がどのチャンネルで放送されていた番組であったかを思い出すことができないという事態が発生しうる。
【０００５】
そこで特許文献１ではユーザがザッピング中に切り替えたチャンネルの中から、そのチャンネルで放送されている番組の視聴時間が所定時間を超えた番組を視聴のために選局されたチャンネルであるとして映像上に選択実行可能なタブを重畳表示する。タブには番組名や番組の画像等が表示され、ユーザは複数のタブの中から視聴を望む番組情報が表示されたタブを選択することで、チャンネルがその番組を放送するチャンネルに切り替えられる。
【先行技術文献】
【特許文献】
【０００６】
【特許文献１】特開２００７−３１１９４７号公報
【発明の概要】
【発明が解決しようとする課題】
【０００７】
しかしながら視聴時間が所定時間を超えた番組数が多いと表示されるタブ数が増加する。その結果、画面上でタブ表示の占める割合が増加して映像の視聴が妨げられることになる。
【０００８】
本発明は上述した問題点に鑑み、映像の視聴に配慮しつつ、容易に所望のチャンネルを選局可能な放送受信装置を提供することを目的とする。
【課題を解決するための手段】
【０００９】
上記目的を達成するために本発明の放送受信装置は、チャンネルの切り替え要求に基づいてチャンネルの切り替えを実行する切替実行部と、前記切替実行部によって切り替えられたチャンネルから１以上のチャンネルを登録する登録部と、前記登録部に登録されたチャンネルで放送されるコンテンツのコンテンツ情報を実行選択実行可能に表示するＯＳＤ信号を生成するＯＳＤ生成部と、選局されているチャンネルに係るコンテンツの映像信号に前記ＯＳＤ生成部から受け取るＯＳＤ信号を重畳した映像信号を出力する映像処理部と、を備え、選択実行可能に表示されたコンテンツ情報が実行された場合に実行されたコンテンツ情報に係るコンテンツを放送するチャンネルへの切り替えが実行されるものであって、コンテンツ情報が実行されることによる切り替え要求が所定時間行われない場合に、前記ＯＳＤ生成部から前記映像処理部に対してＯＳＤ信号が出力されないことを特徴としている。
【００１０】
また上記構成の放送受信装置において、前記ＯＳＤ生成部は前記登録部によって登録されたチャンネルのうち所定数のチャンネルで放送されるコンテンツのコンテンツ情報を視認可能に表示したＯＳＤ信号を生成することが望ましい。
【００１１】
また上記構成の放送受信装置において、前記ＯＳＤ生成部は立体的なグラフィックスに前記所定数のチャンネルで放送されるコンテンツのコンテンツ情報を視認可能に表示したＯＳＤ信号を生成することが望ましい。
【００１２】
また上記構成の放送受信装置において、前記ＯＳＤ生成部は前記登録部によって登録されたチャンネルで放送されるコンテンツのコンテンツ情報として少なくともコンテンツに係る静止画又は動画を選択実行可能に表示するＯＳＤ信号を生成することが望ましい。
【００１３】
また上記構成の放送受信装置において、前記映像処理部はチャンネルの切り替え中に切替画像信号に前記ＯＳＤ生成部に受け取るＯＳＤ信号を重畳した映像信号を出力することが望ましい。
【００１４】
また上記構成の放送受信装置において、前記登録部はコマーシャル放送中に選局されたチャンネルを登録しないことが望ましい。
【００１５】
また上記構成の放送受信装置において、前記登録部は視聴制限が設定されたコンテンツの放送中に選局されたチャンネルを登録しないことが望ましい。
【００１６】
また上記構成の放送受信装置において、前記切替実行部は要求に応じて自動的にチャンネルの連続切り替えを実行することが望ましい。
【発明の効果】
【００１７】
本発明によれば、チャンネルが切り替えられた際に（ザッピングが行われた際に）１以上のチャンネルが登録される。ＯＳＤ生成部は登録されたチャンネルで放送されるコンテンツのコンテンツ情報を実行選択実行可能に表示するＯＳＤ信号を生成して出力する。映像処理部はＯＳＤ生成部から受け取るＯＳＤ信号を選局されているチャンネルに係るコンテンツの映像信号に重畳した映像信号を出力する。当該構成により画面にはコンテンツの映像とＯＳＤ画面が表示される。選択実行可能に表示されたコンテンツ情報を実行選択してチャンネル切り替え要求を実行することで容易にそのコンテンツ情報に係るコンテンツを放送するチャンネルにチャンネルを切替可能である。一方、所定時間チャンネル切り替え要求が行われない場合にＯＳＤ生成部から映像処理部に対してＯＳＤ信号が出力されない。従って視聴の妨げとなるＯＳＤ画面が長時間表示されることが防がれる。
【図面の簡単な説明】
【００１８】
【図１】放送受信装置の構成の一例を示す図
【図２】図１のチューナの構成の一例を示す図
【図３】放送受信装置を操作するためのリモコンを示す図
【図４】放送受信装置の制御部が実行する処理の流れを示す第１のフローチャート
【図５】ＯＳＤ画面の第１の例を示す図
【図６】ＯＳＤ画面の第２の例を示す図
【図７】ＯＳＤ画面を重畳した映像の第１の例を示す図
【図８】ＯＳＤ画面を重畳した映像の第２の例を示す図
【図９】放送受信装置の制御部が実行する処理の流れを示す第２のフローチャート
【発明を実施するための形態】
【００１９】
＜第１実施形態＞
以下に本発明の放送受信装置について図面を参照して説明する。なお、以下に示す実施形態は、本発明の技術的思想を具体化するために放送受信装置の一例を示すものであって、本発明をこの放送受信装置に特定することを意図するものではなく、特許請求の範囲に含まれるその他の実施形態の装置にも等しく適応し得るものである。
【００２０】
図１は本実施形態の放送受信装置の構成の一例を示す図である。図２は図１のチューナの構成の一例を示す図である。本実施形態では放送受信装置１が２個のチューナ２を備えることとして説明を行うが、１個のチューナ２を備えることとしてもよいし、３個以上のチューナ２を備えることとしてもよい。チューナ２はアンテナ１の出力信号（以下、「アンテナ１の出力信号」を「放送信号」と称することもある。）を取得する。そして、チューナ２は放送信号に選局チャンネルに対応する周波数の局部発振信号を乗算してベースバンド信号に周波数変換する。
【００２１】
以下、チューナ２について図２を参照して詳説する。チューナ２は入力端子２１、第１の可変利得器２２、第１のフィルタ２３、第２の可変利得器２４、ミキサ２５、局部発振器２６、第２のフィルタ２７、第３の可変利得器２８及び出力端子２９を備える。
【００２２】
入力端子２１には放送信号が入力される。第１の可変利得器２２は入力端子２１に入力された放送信号のレベルが小さい場合に音質、画質等を確保するために雑音指数（ＮＦ）を小さくしたローノイズアンプである。
【００２３】
第１のフィルタ２３は第１の可変利得器２２の出力信号から受信帯域（全受信放送周波数帯）のみを選別し、それ以外の周波数成分を除去する。例えばユーザによりＢＳが選局されているときは衛星放送以外の周波数帯が除去される。
【００２４】
第１のフィルタ２３の出力信号は第２の可変利得器２４によって利得が調整される。ミキサ２５は第２の可変利得器２４の出力信号に局部発振器２６から出力される局部発振信号を乗算してベースバンド信号に周波数変換する。
【００２５】
第２のフィルタ２７はミキサ２５から出力されるベースバンド信号を平滑化、すなわち高周波数成分を減衰させて出力する。第２のフィルタ２７の出力信号は第３の可変利得器２８によって利得が調整される。第３の可変利得器２８の出力信号は出力端子２９から復調器３に出力される。
【００２６】
図１に戻って放送受信装置１の説明を続ける。復調器３は出力端子２９の出力信号に対して復調処理を行い、復調信号を出力する。
【００２７】
誤り訂正部４は復調器３の出力信号に対して必要に応じた誤り訂正を行う。多重分離部５は誤り訂正部４の出力信号をオーディオデータ（音声信号）、ビデオデータ（映像信号）及びＥＰＧデータに分離復号し、夫々をオーディオデコーダ６、ビデオデコーダ７、後述する制御部１１に供給する。
【００２８】
オーディオデコーダ６は入力されたオーディオデータを例えばＭＰＥＧ方式でデコードしてスピーカ等に出力する。ビデオデコータ７は入力されたビデオデータを例えばＭＰＥＧ方式でデコードしてフレームメモリ８に供給する。
【００２９】
フレームメモリ８はビデオデータを一時的に格納するメモリ領域である。映像処理部９はフレームメモリ８に格納されたビデオデータをディスプレイ（不図示）での表示に適した映像信号に変換してディスプレイに出力する。
【００３０】
なお、映像処理部９はＯＳＤ生成部１０から出力されたＯＳＤ信号を入力した場合にフレームメモリ８に格納されたビデオデータにＯＳＤ信号を重畳した映像信号を生成しディスプレイでの表示に適した映像信号に変換してディスプレイに出力する。
【００３１】
ＯＳＤ生成部１０は文字や図形等のＯＳＤ画面を生成し、生成したＯＳＤ画面を信号化したＯＳＤ信号を映像処理部９に出力する。
【００３２】
制御部１１は放送受信装置１全体を制御する制御手段である。特に本実施形態ではＯＳＤ生成部１０を制御してビデオデータに重畳させるＯＳＤ画面を生成させる（詳細は後述）。また、制御部１１は切替実行部１１１及び登録部１１２を備える。なお本実施形態では説明の簡略化のために一の制御部１１が切替実行部１１１、登録部１１２を有する構成を示すが、夫々を異なる制御部が有する構成であってもよい。
【００３３】
切替実行部１１１はチャンネルの切り替え要求に応じてチャンネルの切り替えを実行する。チャンネルの切り替え要求は例えば放送受信装置１を遠隔操作可能なリモコン（図３参照）によって行われる。図３に示すようにリモコン１００はボタン配置面（平面部）に複数のボタンが配される。ボタンとしては放送受信装置１をＯＮ／ＯＦＦさせるための電源ボタン１０１、所望のチャンネル番号を選択する操作を行うため数字ボタン１０２、音量を増減させるための音量ボタン１０３、選局チャンネルを変更するための選局ボタン１０４、押下することで自動的にザッピングが実行される自動選局ボタン１０５、地上アナログ放送／地上デジタル放送／ＢＳ放送／ＣＳ放送を切り替える放送切替ボタン１０６、移動・決定ボタン１０７等が配される。
【００３４】
数字ボタン１０２は複数のボタンを備えて左上から右下に向かって順に数字（図３では１〜１２）が付され、各数字ボタンには夫々チャンネル（放送局）が割り当てられる。操作者は例えば「８」が付された数字ボタン１０２を押下することで当該ボタンに割り当てられたチャンネルを選局することができる。なお、数字ボタン１０２の各ボタンに対するチャンネルの割り当ては自動的に行われることとしてもよいし、操作者によって任意に割り当てられることとしてもよい。
【００３５】
また、ＢＳ放送及びＣＳ放送で数字ボタン１０２はチャンネル番号を指定するためのチャンネル入力用の数字ボタンとして機能する。例えば１４１ｃｈを選局する場合には、「１」が付された数字ボタン１０２、「４」が付された数字ボタン１０２、「１」が付された数字ボタン１０２の順に押下することで１４１ｃｈを選局することができる。
【００３６】
選局ボタン１０４は選局されているチャンネルを変更するボタンである。選局ボタン１０４を押下すると現在選局されているチャンネルが割り当てられた一の数字ボタン１０２を起点として、数字ボタン１０２に付された番号順に選局が変更される。選局ボタン１０４の上端（△部）１０４ａが押下されると１大きい数字が付された数字ボタン１０２に割り当てられたチャンネルが選局され、下端（▽部）１０４ｂが押下されると１小さい数字が付された数字ボタン１０２に割り当てられたチャンネルが選局される。以下、「Ｎが付された数字ボタン１０２に割り当てられたチャンネル」を「Ｎチャンネル」とも称する（Ｎは１〜１２の間の自然数）。
【００３７】
例えば現在、３チャンネルが選局されているとすると、上端１０４ａが押下されると４チャンネルが選局され、下端１０４ｂが押下されると２チャンネルが選局される。つまり数字ボタン１０２は所望のチャンネルを直接選局することができるボタンであり、選局ボタン１０４は他のチャンネルでどのような番組が放送されているかを確認するために全チャンネルをチェックする際など順次他のチャンネルを選局することができるボタンである。
【００３８】
選局ボタン１０４を押下してチャンネルを連続して変更したい場合には、選局ボタン１０４の押下を繰り返すこととしてもよいが、選局ボタン１０４の押下状態を持続する（選局ボタン１０４を長押しする）ことでチャンネルを連続して変更することができる。
【００３９】
自動選局ボタン１０５は所定時間毎に自動的にチャンネルを連続して切り替える処理を実行させるためのボタンである。ザッピングは上述した数字ボタン１０２、選局ボタン１０４、放送切替ボタン１０６を押下することでユーザが任意のタイミングで実行可能である。しかしながら近年はチャンネル数が増大しており、ザッピングするためにリモコン１００を何度も操作することにユーザが煩わしさを感じる可能性がある。そこで自動選局ボタン１０５を押下すればチャンネルの切り替えが自動的に実行されるのでユーザは各チャンネルで放送されている番組内容を把握することに集中することが可能となる。
【００４０】
なお、自動選局ボタン１０５を押下した場合に自動的にザッピングが開始されるが、ザッピングの対象となるチャンネルを設定可能であることとしてもよい。例えばユーザが設定したカテゴリ（スポーツ番組、音楽番組等）に属する番組を放送するチャンネルのみをザッピングの対象としてもよい。また、例えば任意の数のチャンネルをランダムにザッピングすることとしてもよい。
【００４１】
また、自動選局ボタン１０５を押下した場合の自動ザッピングの終了タイミングは特に限られるものではないが、自動ザッピング時間を過度に長時間としないために、例えば選局数が所定の数に到達したときであってもよいし、ザッピングが開始してから所定時間（例えば一般的なコマーシャル放送時間に相当する時間）経過したときであってもよい。また、任意のタイミングで自動ザッピングを終了することが可能であってもよく、例えば自動ザッピング中に自動選局ボタン１０５を押下することで自動ザッピングが終了することとしてもよい。
【００４２】
移動・決定ボタン１０７はディスプレイ上に表示されるカーソルの位置を上下左右の方向へ移動させる移動ボタン１０７ａ及びカーソルを移動して選択した項目に関する機能を実行させることを決定する決定ボタン１０７ｂを有する。移動ボタン１０７ａを押下して同一方向に連続してカーソルを移動させる際には、移動させたい回数移動ボタン１０７ａを押下することとしてもよいが、移動ボタン１０７ａの押下状態を持続する（移動ボタン１０７ａを長押しする）ことでカーソルを連続して移動させることができる。
【００４３】
図１に戻って登録部１１２は切替実行部１１１によって切り替えられたチャンネルから１以上のチャンネルを登録する。切替実行部１１１によって切り替えられたチャンネルとは、ザッピングが開始される直前に選局されたチャンネル及びザッピング開始からザッピング終了までの間に選局されたチャンネルである。登録部１１２は切替実行部１１１によって切り替えられた全てのチャンネルを登録することとしてもよいし、所定の基準を満たしたチャンネルのみを登録することとしてもよい。以下、登録部１１２が登録するチャンネルの基準について例示するが以下の基準に限定されるものではない。
【００４４】
本実施形態においてザッピングの開始とはチャンネルの切り替え要求が実行されたときを示し、ザッピングの終了とはチャンネルの切り替え要求が所定時間実行されなかったときを示すこととするがこれに限られるものではない。例えばチャンネルの切り替え要求が実行されてから所定時間以内に所定回数のチャンネルの切り替え要求が実行されたときの最初のチャンネルの切り替え要求が実行されたときをザッピングの開始とし、所定時間以内に所定回数のチャンネルの切り替え要求が実行されなくなる直前にチャンネルの切り替え要求が実行されたときをザッピングの終了としてもよい。
【００４５】
本実施形態において登録部１１２は切替実行部１１１によって切り替えられたチャンネルの中から、再選局される可能性が高いチャンネルを登録する。一般にユーザは視聴している番組がコマーシャル放送になっている間にザッピングを行うことが多い。言い換えればコマーシャル放送が終わる頃に再びザッピング前に視聴していた番組を見るためにチャンネルをザッピング直前のチャンネルに切り替えることが多い。従って本実施形態で登録部１１２は少なくともザッピングが開始される直前に選局されたチャンネルを登録することとする。
【００４６】
但し、視聴していた番組が終了した後にザッピングする場合にはザッピング直前のチャンネルに切り替えないことが考えられるため、登録部１１２はザッピングが開始される直前に選局されたチャンネルを登録しないこととしてもよい。
【００４７】
ザッピング開始からザッピング終了までの間にユーザ自身がリモコン１００の数字ボタン１０２、選局ボタン１０４、放送切替ボタン１０６を押下してザッピングを行う場合に、再選局される可能性が高い番組はその番組の内容を把握するために再選局される可能性が低い番組に比べて視聴時間が長いと考えられる。そこで登録部１１２は例えばザッピング開始からザッピング終了までの間に切り替えられたチャンネルから視聴時間が所定時間以上のチャンネルを登録する。
【００４８】
なお、チャンネルの視聴時間に本編放送以外（例えばコマーシャル放送）の視聴時間が含まれる場合には当該本編放送以外の視聴時間を差し引いた時間をチャンネルの視聴時間としてもよい。
【００４９】
ユーザがリモコン１００の自動選局ボタン１０５を押下することでザッピングが開始された場合は各番組の視聴時間は略同一である。ユーザは自動的にザッピングが行われている場合に興味のある番組が表示された後、自動選局ボタン１０５の押下して自動ザッピングの終了を要求することが考えられる。その場合再選局される可能性が高いチャンネルは現在選局しているチャンネルの前に選局したチャンネルで放送されている番組と考えられる。そこで登録部１１２は例えばザッピング終了の直近１又は２以上のチャンネルを登録する。或いは自動ザッピング中に任意のキー（例えば図３に示す決定ボタン１０７ｂ）が押下されたときに選局していたチャンネルを登録することとしてもよい。
【００５０】
なお、切替実行部１１１によって切り替えられたチャンネルの中に現在選局しているチャンネルがある場合に登録部１１２は、そのチャンネルに係る番組のコンテンツ情報を実行選択実行可能に表示する必要がないためそのチャンネルを登録しないこととする。
【００５１】
また、切替実行部１１１によって切り替えられたチャンネルの中にコマーシャル放送中のチャンネル、番組の放送がないチャンネル、視聴制限が設定されている番組を放送するチャンネルがある場合に、これらのチャンネルは登録しないこととしてもよい。
【００５２】
また、ザッピング中に登録部１１２によって登録されたチャンネルと同一のチャンネルを選局した場合には、当該チャンネルの登録を解除した上で登録するか否かを判定することとしてもよいし、当該チャンネルの登録を保持することとしてもよい。
【００５３】
次に制御部１１が実行する処理について図４を参照して説明を行う。図４は制御部１１が実行する処理の流れを示す第１のフローチャートである。ステップＳ０１において制御部１１の切替実行部１１１はチャンネルの切り替え処理が要求されたか否かを判定する。チャンネルの切り替え処理が要求されていれば（ステップＳ０１のＹ）ステップＳ０２に進み、チャンネルの切り替え処理が要求されていなければ（ステップＳ０１のＮ）ステップＳ０１に戻る。
【００５４】
チャンネルの切り替え処理が要求されているか否かは例えばコントローラ１００の数字ボタン１０２、選局ボタン１０４、自動選局ボタン１０５、放送切替ボタン１０６のいずれかが押下されたか否かに基づいて判定する。いずれかのボタンが押下されていればチャンネルの切り替え処理が要求されていると判定する。
【００５５】
ステップＳ０２において制御部１１の登録部１１２はステップＳ０１で切替実行部１１１により選局されたチャンネルから所定の基準に基づいて１以上のチャンネルを登録する。また制御部１１は登録部１１２に登録したチャンネルに係るコンテンツ情報を取得する。
【００５６】
所定の基準の詳細は上述した通りであり、本ステップにおいて登録部１１２は切替実行部１１１によって切り替えられたチャンネルの中から、再選局される可能性が高いチャンネルを登録する。制御部１１が取得するコンテンツ情報はユーザがチャンネル切替中に視聴した１のチャンネルに再度切り替える際の判断材料となる情報である。
【００５７】
具体的には制御部１１はコンテンツ情報として番組に係る静止画又は動画を取得する。静止画又は動画はフレームメモリ８を介して取得可能な静止画又は動画であってもよいし、インターネットを介して取得可能な番組に係る静止画又は動画であってもよい。取得する静止画は１枚であってもよいし、複数枚であってもよい。
【００５８】
また制御部１１はコンテンツ情報として番組の静止画又は動画に加えて、多重分離部５によって分離復号されたＥＰＧデータを取得し、ＥＰＧデータから番組のタイトル（番組名）等を取得することとしてもよい。
【００５９】
ステップＳ０３において制御部１１はＯＳＤ生成部１０を制御してＯＳＤ画面を生成する。生成されるＯＳＤ画面は登録部１１２によって登録されたチャンネルに係るコンテンツ情報を表示すると共に、表示されたコンテンツ情報を実行選択実行可能に配する。図５はステップＳ０３で生成されるＯＳＤ画面の一例を示す図である。
【００６０】
図５では略立方体のグラフィックスの各面にコンテンツ情報として番組に係る静止画を表示する。リモコン１００の移動・決定ボタン１０７の移動（上下左右）ボタン１０７ａでグラフィックスを回転させて正面（ユーザに正対する面）に表示させる静止画を変更可能である（図５は下ボタンの押下前後の状態を示している）。ユーザは各静止画から視聴したい番組に係る静止画を正面に表示させた状態で移動・決定ボタン１０７の決定ボタン１０７ｂを押下することでチャンネルを切り替えることが可能である。
【００６１】
立体的なグラフィックスの各面に番組のコンテンツ情報を表示することで小さいスペース（図７参照）でコンテンツ情報を表示することができる。グラフィックスの形状は上述した立方体に限られるものではなく任意の立体としてもよいし、表示するコンテンツ情報の数に応じてコンテンツ情報の数の面を有する立体としてもよい。
【００６２】
任意の立体としてはユーザに親しみ易い立体とすればよく、例えば縦方向に回転する映写機のフィルムのグラフィックスや、ページがめくれるようなアニメーションを有する本やカタログのグラフィックが例示される。
【００６３】
なお、立体的なグラフィックスの各面に番組のコンテンツ情報を表示するとグラフィックスの裏面側に表示されるコンテンツ情報が存在することがあり全てのコンテンツ情報を同時に確認することができない場合がある。そこで全ての番組のコンテンツ情報を平面的に並べて配置することとしてもよいし、立体的な表示と平面的な表示を切替可能であることとしてもよい。また、平面的な表示でも立体的な表示と同様に、登録されたチャンネルうち所定数のチャンネルで放送される番組のコンテンツ情報を視認可能に配置することとしてもよい。
【００６４】
ステップＳ０２においてコンテンツ情報として複数枚の静止画を取得している場合には各静止画を用いた複数のＯＳＤ画面を生成し、所定の時間毎に取得した時間が早い静止画を表示したＯＳＤ画面から順に出力することとしてもよい。これにより時間経過に沿ったコマ送り表示を行うことができる。
【００６５】
また、静止画又は動画の表示に加えて、ＥＰＧデータから取得した番組名等の情報を表示することとしてもよい。図６に示すように静止画又は動画と番組名等とは関連付けて表示される。
【００６６】
またＯＳＤ生成部１０は番組のカテゴリ毎にＯＳＤ画面を生成することとしてもよい。その場合ＯＳＤ生成部１０はユーザの要求に応じて１のカテゴリに属する番組のコンテンツ情報を実行選択実行可能に配したＯＳＤ信号を出力する。
【００６７】
またＯＳＤ生成部１０は再選局される可能性が高いコンテンツ情報から順に再選局される可能性が高いことを示す表示を行うこととしてもよい。例えば視聴時間が長い番組のコンテンツ情報から順に色を変えた枠を付加したり、静止画の大きさを変えたりしてもよい。また、ザッピング中にユーザによって所定の操作が行われた（例えば決定ボタン１０７ｂを押下した）番組のコンテンツ情報に所定の印を付加することとしてもよい。
【００６８】
ステップＳ０４において制御部１１は映像処理部９を制御して現在選局している番組のビデオデータにＯＳＤ生成部１０から出力されたＯＳＤ信号を重畳した映像信号を生成し、ディスプレイに出力する。ＯＳＤ画面は現在選局しているチャンネルで放送されている番組の視聴を大きく妨げることがない位置に配され、例えば図７に示すように現在選局しているチャンネルで放送されている番組の映像の左上隅領域に配される。
【００６９】
ＯＳＤ画面は現在選局しているチャンネルで放送されている番組の視聴を大きく妨げることがない態様で配置されるものであればよく、例えば映像を縮小して空いたスペースに配置することとしてもよい。
【００７０】
コンテンツ情報を平面的に並べる場合の配置方法は、例えば映像を縮小した空きスペースにランダムに配置することとしてもよいし、コンテンツ情報で所定の平面形状を構成するように配置することとしてもよい。例えばコンテンツ情報で縮小した映像の周りを囲むフレームを構成するように配置する。
【００７１】
なお、映像処理部９はチャンネルの切り替え時であってビデオデータが取得できないときは切替画像信号（例えば黒画面）にＯＳＤ信号を重畳した映像信号（図８参照）を生成しディスプレイでの表示に適した映像信号に変換してディスプレイに出力する。
【００７２】
ステップＳ０５において制御部１１は登録部１１２によって新たなチャンネルが登録されたか否かを判定する。新たなチャンネルが登録されていれば（ステップＳ０５のＹ）ステップＳ０２に戻りステップＳ０２〜ステップＳ０４の処理を行う。新たなチャンネルが登録されていなければ（ステップＳ０５のＮ）ステップＳ０６に進む。
【００７３】
ステップＳ０６において制御部１１はＯＳＤ画面からの選局要求があったか否かを判定する。ＯＳＤ画面から選局要求は上述したようにＯＳＤ画面に表示される１のコンテンツ情報を実行選択した状態で移動・決定ボタン１０７の決定ボタンを押下することで実行される。ＯＳＤ画面からの選局要求がなければ（ステップＳ０６のＮ）ステップＳ０７に進み、ＯＳＤ画面からの選局要求があれば（ステップＳ０６のＹ）ザッピングが終了したものとしてステップＳ０８に進む。
【００７４】
ステップＳ０７において制御部１１はステップＳ０４で映像処理部９が生成した映像信号がディスプレイに出力されてから所定時間経過したか否かを判定する。映像処理部９が生成した映像信号がディスプレイに出力されてから所定時間経過していれば（ステップＳ０７のＹ）ザッピングが終了したものとしてステップＳ０８に進み、映像処理部９が生成した映像信号がディスプレイに出力されてから所定時間経過していなければ（ステップＳ０７のＮ）ステップＳ０５に戻る。
【００７５】
ステップＳ０８において制御部１１はディスプレイでのＯＳＤ画面の表示を終了する処理を行う。ステップＳ０６でＯＳＤ画面からの選局要求があればユーザはザッピング中に切り替えられたチャンネルから視聴したい番組を特定できている。また、ステップＳ０７で映像処理部９が生成した映像信号がディスプレイに出力されてから所定時間経過していればユーザはザッピング中に切り替えられたチャンネルから視聴したい番組を数字ボタン１０２、選局ボタ１０３、放送波ボタン１０６を操作して視聴していると考えられる。これらの場合にはＯＳＤ画面を表示する必要はなく、また、表示を継続することで番組の視聴の妨げになる可能性があることからディスプレイでのＯＳＤ画面の表示を終了する。
【００７６】
ディスプレイでのＯＳＤ画面の表示を終了方法としてはＯＳＤ生成部１０を制御してＯＳＤ画面を生成させないこととしてもよいし、生成したＯＳＤ信号を出力させないこととしてもよい。
【００７７】
ステップＳ０９において制御部１１は登録部１１２によって登録されたチャンネルを消去（登録チャンネル情報を初期化）する。
【００７８】
本実施形態によれば、チャンネルが切り替えられた際に（ザッピングが行われた際に）１以上のチャンネルが登録される。ＯＳＤ生成部は登録されたチャンネルで放送されるコンテンツのコンテンツ情報を実行選択実行可能に表示するＯＳＤ信号を生成して出力する。映像処理部はＯＳＤ生成部から受け取るＯＳＤ信号をコンテンツの映像信号に重畳した映像信号を出力する。当該構成により画面にはコンテンツの映像とＯＳＤ画面が表示される。選択実行可能に表示されたコンテンツ情報を実行選択してチャンネル切り替え要求を実行することで容易にそのコンテンツ情報に係るコンテンツを放送するチャンネルにチャンネルを切替可能である。一方、所定時間チャンネル切り替え要求が行われない場合にＯＳＤ生成部から映像処理部に対してＯＳＤ信号が出力されない。従って視聴の妨げとなるＯＳＤ画面が長時間表示されることが防がれる。
【００７９】
また、ＯＳＤ画面には登録部によって登録されたチャンネルのうち所定数のチャンネルで放送されるコンテンツのコンテンツ情報を視認可能に表示されるので、多くのコンテンツ情報が表示されることにより現在選局されているチャンネルで放送されているコンテンツの視聴を大きく妨げることがない。特に、コンテンツ情報を立体的なグラフィックスに表示することでＯＳＤ画面の表示領域を小さなスペースとすることができる。
【００８０】
また、ＯＳＤ画面にはコンテンツ情報として少なくとも登録部によって登録されたチャンネルに係る静止画又は動画が表示される。従ってユーザはＯＳＤ画面に表示される静止画又は映像に基づいてザッピング中に視聴した番組がどの番組であるかを容易に特定できる。
【００８１】
また、チャンネル切替時には選局処理に時間を要するため一時的に黒画面等の切替画面が表示されるが、チャンネルの切り替え中に切替画像信号にＯＳＤ信号を重畳するので切替時間にザッピング中に視聴した番組を確認できる。また、切替時間中に登録部によって登録されたコンテンツ情報を表示することで、ユーザに切替時間を有効に利用させることができる。
【００８２】
また、登録部はコマーシャル放送中に選局されたチャンネルを登録しない。これにより不要なチャンネル（ＯＳＤ画面を介して選局される可能性が低いチャンネル）が登録されない。
【００８３】
また、登録部は視聴制限が設定されたコンテンツの放送中に選局されたチャンネルを登録しない。これにより視聴制限が設定されたコンテンツの静止画又は動画がＯＳＤ画面に表示されることが防がれる。
【００８４】
また、自動的にチャンネルを切り替える切替実行部を有するので、ザッピングの際にユーザはチャンネル切替操作を行う必要がない。
【００８５】
＜第２実施形態＞
第１実施形態で制御部１１はＯＳＤ画面の表示に関する制御を行ったが、本実施形態では第１実施形態での制御に加えて、チューナ２の制御を行う。以下、２個のチューナ２のうち、ザッピング中に使用されるチューナ２をメインチューナ２、他方のチューナ２をサブチューナ２と称して説明を行う。
【００８６】
図９は制御部１１が実行する処理の流れを示す第２のフローチャートである。第１実施形態ではＯＳＤ画面にコンテンツ情報を実行選択実行可能に表示し、１のコンテンツ情報が選択され実行されることにより選局チャンネルが当該コンテンツ情報に係る番組を放送するチャンネルに切り替わることとした。当該構成によって容易にユーザの所望のチャンネルに切り替えることが可能であるが、上述した局部発振信号の生成やベースバンド信号への周波数変換にはある程度の時間を要するため、チャンネルが切り換わるまでの時間にタイムラグが発生する。
【００８７】
そこで本実施形態ではサブチューナ２に再選局される可能性が高いチャンネルを選局させておくことで、サブチューナ２で選局しているチャンネルへの切り替えをユーザが要求した場合に、サブチューナ２として使用していたチューナ２をメインチューナとして使用し、メインチューナ２として使用していたチューナ２をサブチューナとして使用することで即座にユーザの所望のチャンネルに切り替えることが可能になる。
【００８８】
図９のフローチャートの処理はザッピングが開始された際（図４のステップＳ０１）に図４のフローチャートの処理と並行して実行される。ステップＳ１１において制御部１１は登録部１１２によりチャンネルが登録された（図４のステップＳ０２参照）か否かを判定する。チャンネルが登録されていれば（ステップＳ１１のＹ）ステップＳ１２に進み、チャンネルが登録されていなければ（ステップＳ１１のＮ）ステップＳ１３に進む。
【００８９】
ステップＳ１２において制御部１１は登録部１１２により登録されたチャンネルの中で再選局される可能性が最も高いチャンネルを特定する。再選局される可能性が最も高いチャンネルとしては上述したように、ザッピングが開始される直前に選局されていたチャンネル（第１の基準に基づくチャンネルと称する）又はザッピング開始からザッピング終了までの間に切り替えられたチャンネルの中で最も視聴時間が長いチャンネル（第２の基準に基づくチャンネルと称する）又はザッピング終了の直前に選局されたチャンネル（第３の基準に基づくチャンネルと称する）が例示される。
【００９０】
加えて、コンテンツ情報が選択実行可能に表示されているため、選択状態（決定ボタンが押下される前の状態）のコンテンツ情報に係る番組を放送するチャンネル（第４の基準に基づくチャンネルと称する）を再選局される可能性が最も高いチャンネルと特定することとしてもよい。
【００９１】
ステップＳ１３において制御部１１はサブチューナ２の選局チャンネルを変更しない（ザッピング開始前からサブチューナ２で選局されていたチャンネルのまま維持する）、或いはザッピングが開始される直前にメインチューナ２で選局されていたチャンネルを選局するように制御する。
【００９２】
上述したように第１実施形態で登録部１１２は少なくともザッピングが開始される直前に選局されたチャンネルを登録することとした。その場合、ザッピングが開始されると同時に登録部１１２によってザッピングが開始される直前に選局されたチャンネルが登録されるため本ステップの処理は行われないが、登録部１１２がザッピングが開始される直前に選局されたチャンネルを登録しない場合には本ステップの処理が行われることがある。
【００９３】
ステップＳ１４において制御部１１はステップＳ１２で最も再選局される可能性が高いと特定されたチャンネルがメインチューナ２の選局チャンネルであるか否かを判定する。ステップＳ１２で最も再選局される可能性が高いと特定されたチャンネルがメインチューナ２の選局チャンネルであれば（ステップＳ１４のＹ）ステップＳ１５に進み、ステップＳ１２で最も再選局される可能性が高いと特定されたチャンネルがメインチューナ２の選局チャンネルでなければ（ステップＳ１４のＮ）ステップＳ１６に進む。
【００９４】
ステップＳ１２で最も再選局される可能性が高いと特定されたチャンネルがメインチューナ２の選局チャンネルであるにも関わらず後述するステップＳ１６に進むこととするとメインチューナ２とサブチューナ２の選局チャンネルが同一のチャンネルとなるからである。
【００９５】
ステップＳ１５において制御部１１は次に再選局される可能性が高いチャンネルを特定する。次に選局される可能性が高いチャンネルとしては各基準（上述した第１の基準〜第４の基準）に沿って特定する（例えば第２の基準に基づけばザッピング開始からザッピング終了までの間に切り替えられたチャンネルの中で２番目に視聴時間が長いチャンネルを次に選局される可能性が高いチャンネルとして特定する）こととしてもよいし、各基準を組み合わせて特定する（例えば第１の基準に基づくチャンネルがメインチューナ２の選局チャンネルであれば第２の基準に基づくチャンネルを次に選局される可能性が高いチャンネルとして特定する）こととしてもよい。
【００９６】
ステップＳ１６において制御部１１はステップＳ１２で特定したチャンネルがメインチューナ２の選局チャンネルでなければステップＳ１２で特定したチャンネルをサブチューナ２で選局させ、ステップＳ１２で特定したチャンネルがメインチューナ２の選局チャンネルであればステップＳ１５で特定したチャンネルをサブチューナ２で選局させる。
【００９７】
ステップＳ１７において制御部１７は登録部１１２により新たなチャンネルが登録されたか否かを判定する（図１のステップＳ０５参照）。登録部１１２により新たなチャンネルが登録されていれば（ステップＳ１７のＹ）ステップＳ１２に戻り、登録部１１２により新たなチャンネルが登録されていなければ（ステップＳ１７のＮ）ステップＳ１７に戻る。
【００９８】
制御部１１はザッピングが終了する（図４のステップＳ０６〜Ｓ０８参照）まで本フローチャートの処理を実行する。
【００９９】
なお、本実施形態では１個のメインチューナ２と１個サブチューナ２を備えることとして説明を行ったが、サブチューナ２の数を２個以上とすることでユーザによるチャンネル切り替え要求に応じて即座にチャンネル切り替えができるチャンネルの数を増やすことができる。Ｎ個（Ｎは２以上の自然数）のサブチューナを有する場合にはステップＳ１２で最も再選局される可能性が高いチャンネルからＮ番目に再選局される可能性が高いチャンネルまで特定し、特定したチャンネルがメインチューナ２の選局チャンネルと重複しなければ各チューナに特定したチャンネルを選局させる。
【０１００】
特定したチャンネルがメインチューナ２の選局チャンネルと重複すればさらに（Ｎ＋１）番目に再選局される可能性が高いチャンネルを特定し、メインチューナ２の選局チャンネルを除いて各チューナに特定したチャンネルを選局させる。
【０１０１】
また図９に示すフローチャートにおいて制御部１１はサブチューナ２の選局チャンネルを変更する場合（ステップＳ１３、Ｓ１６）にはそれよりも前の任意のタイミングでサブチューナ２が使用中であるか否かを判定することとしてもよい。そしてサブチューナ２が使用中でないときにサブチューナ２の選局チャンネルを変更することとすればよい。例えばサブチューナ２が予約録画に係るチャンネルを選局している場合にはサブチューナ２の選局チャンネルを変更しない。
【０１０２】
本実施形態によれば第１実施形態と同様の効果を奏する。加えて、サブチューナに再選局される可能性が高いチャンネルを選局させるので、ユーザがサブチューナによって選局されているチャンネルへの切り替えを要求した場合にメインチューナとサブチューナを入れ替えることで即座にチャンネルの切り替えが実行できる。
【０１０３】
＜補足＞
図４に示すフローチャートで制御部１１はザッピングが終了すると登録部１１２によって登録されたチャンネルを消去する（図４のフローチャートのステップＳ０９参照）こととしたが、取得した登録チャンネルに係る静止画及び動画（図４のフローチャートのステップＳ０２参照）は削除することとしてもよいし、記憶部１２に保存することとしてもよい。
【０１０４】
記憶部１２に保存する場合にはソート可能に保存し、カテゴリ毎、時間帯毎、チャンネル毎、一連のザッピング（ザッピングの開始から終了までの一まとめ）毎に履歴情報を表示可能であることとしてもよい。また自動選局ボタン１０５を押下した場合に自動的に選局するチャンネルを履歴情報に基づいて決定することとしてもよい。例えば選局回数が多い順や視聴時間が多い順にチャンネルを切り替える。
【０１０５】
また、コンテンツ情報として複数の静止画を取得する場合に制御部１１は少なくともザッピング中におけるユーザの視聴部分の一部の静止画を取得し、加えてザッピング中におけるユーザの非視聴部分の静止画を取得することとしてもよい。ザッピング中におけるユーザの非視聴部分の静止画はサブチューナ２で静止画を取得するチャンネルを選局することによって取得することができる。
【０１０６】
また、ＯＳＤ画面に選択実行可能に表示されるコンテンツ情報が複数ある場合に、いずれか１個のコンテンツ情報を実行選択した状態で表示してもよいし、非選択状態で表示してもよい。いずれか１個のコンテンツ情報を実行選択した状態で表示する場合には最も再選局される可能性が高いチャンネルを選択することとすればよい。当該構成によりユーザが選択状態を変更することなく決定ボタン１０７ｂを押下するだけでチャンネル切り替えを要求することができる可能性が高くなる。例えば上述した略立方体のグラフィックスの各面にコンテンツ情報を表示する場合には、最も再選局される可能性が高いコンテンツ情報を表示した面を正面に表示する。
【符号の説明】
【０１０７】
１      放送受信装置
２      チューナ
３      復調器
４      誤り訂正部
５      多重分離部
６      オーディオレコーダ
７      ビデオデコーダ
８      フレームメモリ
９      映像処理部
１０      ＯＳＤ生成部
１１      制御部
１２      記憶部
２１      入力端子
２２      第１の可変利得器
２３      第１のフィルタ
２４      第２の可変利得器
２５      ミキサ
２６      局部発振器
２７      第２のフィルタ
２８      第３の可変利得器
２９      出力端子
１００      リモコン
１０２      数字ボタン
１０４      選局ボタン
１０５      自動選局ボタン
１０６      放送波ボタン
１０７      移動・決定ボタン
１１１      切替実行部
１１２      登録部
【図１】
2015023335.tif 000003
【図２】
2015023335.tif 000004
【図３】
2015023335.tif 000005
【図４】
2015023335.tif 000006
【図９】
2015023335.tif 000007
【図５】
2015023335.tif 000008
【図６】
2015023335.tif 000009
【図７】
2015023335.tif 000010
【図８】
2015023335.tif 000011